(57)【要約】      （修正有）【課題】ユーザがスケルチレベルを入力しなくても、現在選択されているスケルチレベルを変更可能とする。また、雑音発生源の近傍に移動されたときでも、スケルチオープンを起こしにくくする。【解決手段】携帯無線通信装置１は、互いに異なる値を持つスケルチレベルのデータ群を複数記憶する記憶部１２を備える。複数のデータ群から１つのデータ群を操作部１３により選択して、選択したデータ群に従ってスケルチ機能を動作させる。データ群の内の１つのデータ群は他方のデータ群よりも値が小さく定められており、他方のデータ群よりも低い雑音信号電圧に対してスケルチ機能を動作させる。【選択図】図１
2008113351.tif 000002
【特許請求の範囲】
【請求項１】
無線信号を受信して復調する通信手段と、
前記通信手段により復調された信号の再生装置への出力をオン又はオフするスイッチ手段と、
前記無線信号に含まれる雑音成分のレベルを検出する雑音レベル検出手段と、
前記スイッチ手段をオンする閾値であるオンレベルを示すオンデータの群と前記スイッチ手段をオフする閾値であるオフレベルを示すオフデータの群とを含む組であって、前記オンデータの群が示すオンレベルの領域が互いに異なり、かつ、前記オフデータの群が示すオフレベルの領域が互いに異なるように設定されている複数の組を記憶する記憶手段と、
ユーザの操作に応答して指示信号を出力する指示手段と、
前記指示手段からの指示信号に応答して、前記記憶手段に記憶されている複数の組から１つの組を選択する組選択手段と、
前記指示手段からの指示信号に応答して、前記組選択手段により選択された組に含まれるオンデータの群から１つのオンデータを選択し、オフデータの群から１つのオフデータを選択するデータ選択手段と、
前記雑音レベル検出手段により検出された雑音成分のレベルが、前記データ選択手段により選択されたオンデータが示すオンレベル以下のときに前記スイッチ手段をオンして復調された信号を再生装置に供給し、前記データ選択手段により選択されたオフデータが示すオフレベル以上のときに前記スイッチ手段をオフして復調された信号の再生装置への供給を停止する動作制御手段と、を備える、
ことを特徴とする受信装置。
【請求項２】
各群のオンデータは、そのオンデータが示すオンレベルが段階的でかつ互いに異なる値を持つように設定されており、
各群のオフデータは、そのオフデータが示すオフレベルが段階的でかつ互いに異なる値を持つように設定されている、
ことを特徴とする請求項１に記載の受信装置。
【請求項３】
前記オンデータの群が示すオンレベルの領域が他の前記オンデータの群と比較して最大であるように予め定められたオンデータ群と、前記オフデータの群が示すオフレベルの領域が他の前記オフデータの群と比較して最大であるように予め定められたオフデータの群と、を含む組がデフォルトに設定されている、ことを特徴とする請求項１に記載の受信装置。
【請求項４】
復調信号の出力をオンする閾値であるオンレベルを示すオンデータの群とオフする閾値であるオフレベルを示すオフデータの群とを含む組であって、前記オンデータの群が示すオンレベルの領域が互いに異なり、かつ、前記オフデータの群が示すオフレベルの領域が互いに異なるように設定されている複数の組のうち１つの組を選択する組選択ステップと、
前記組選択ステップで選択された組に含まれるオンデータの群の内から１つの前記オンデータを選択し、オフデータの群の内から１つの前記オフデータを選択するデータ選択ステップと、
前記復調信号に含まれる雑音成分のレベルが、前記データ選択ステップで選択されたオンデータが示すオンレベル以下のときに前記復調信号の出力をオンして再生可能とし、オフデータが示すオフレベル以上のときに前記復調信号の出力をオフする動作制御ステップと、
から構成される、ことを特徴とするスケルチレベル設定方法。
【請求項５】
復調信号の出力をオンする閾値であるオンレベルを示すオンデータの群とオフする閾値であるオフレベルを示すオフデータの群とを含む組であって、前記オンデータの群が示すオンレベルの領域が互いに異なり、かつ、前記オフデータの群が示すオフレベルの領域が互いに異なるように設定されている複数の組を記憶する記憶手段と、ユーザの操作に応答して指示信号を出力する指示手段と、を備えるコンピュータに、
前記指示手段からの指示信号に応答して、前記記憶手段に記憶されている複数の組から１つの組を選ぶ組選択機能と、
前記組選択機能により選択された組に含まれるオンデータの群から１つのオンデータを選択し、オフデータの群から１つのオフデータを選択するデータ選択機能と、
前記復調信号に含まれる雑音成分のレベルが、前記データ選択手段により選択されたオンデータが示すオンレベル以下のときに前記スイッチ手段をオンして再生可能とし、オフデータが示すオフレベル以上のときに前記復調信号の出力をオフする動作制御機能と、
を実現させるためのプログラム。
【発明の詳細な説明】
【技術分野】
【０００１】
本発明は、スケルチレベル設定機能を備える受信装置、スケルチレベル設定方法、プログラムに関する。
【背景技術】
【０００２】
無線信号に含まれる雑音信号の電圧値に基づいて、音声スピーカへの無線信号の出力をオン又はオフに切り替える機能（以下、「スケルチ機能」という）を備える携帯無線通信装置が、特許文献１に開示されている。
特許文献１に開示されている携帯無線通信装置は、雑音信号の電圧値が、音声スピーカへの信号出力をオフする基準値であるスケルチクローズレベル以上になったときに音声スピーカへの信号出力をオフして（以下、「スケルチクローズ」という）、音声スピーカへの信号出力をオンする基準値であるスケルチオープンレベル以下になったときに音声スピーカへの信号出力をオンする（以下、「スケルチオープン」という）。
【０００３】
特許文献１の携帯無線通信装置は、スケルチオープンレベル及びスケルチクローズレベル（以下、両者を総称して「スケルチレベル」という）が、予め記憶部に記憶されている。更に、ユーザ自身により入力されたスケルチレベルを記憶部に記憶させることも可能である。
特許文献１のスケルチ機能は、ユーザがスケルチレベルを入力したときは入力されたスケルチレベルに従って動作して、ユーザがスケルチレベルを入力しないときは、予め記憶されたスケルチレベルに従って動作する。ユーザが入力したスケルチレベルと予め記憶されたスケルチレベルとの切替は、切替キーの操作によって行われる。
【特許文献１】特開平９−３１２５８０号公報
【発明の開示】
【発明が解決しようとする課題】
【０００４】
特許文献１の携帯無線通信装置では、予め記憶されたスケルチレベル以外の値に基づいてスケルチ機能を動作させたいときには、ユーザは、先ず手動入力によりスケルチレベルを設定する必要がある。この設定入力作業は煩雑であるため、操作性の観点よりユーザフレンドリなものとはいえない。
【０００５】
また、特許文献１の携帯無線通信装置はスケルチクローズ状態であっても、例えばモニタ等の雑音を発する雑音発生源の近傍に移動されたときには、雑音の影響により無線信号を受信したときと同様にスケルチオープンしてしまう場合がある。
特許文献１の携帯無線通信装置では、使用環境の変化による雑音信号電圧値の変化に追従して、適時、ユーザがスケルチレベルを変更し、スケルチ機能を動作させることは困難である。
【０００６】
同様の問題は、雑音信号電圧値に基づいて、信号の出力をオン又はオフするスイッチを制御する機能を有する種々の受信装置にて共通する。
【０００７】
本発明は、上記実情に鑑みてなされたものであり、ユーザがスケルチレベルを入力しなくても、現在選択されているスケルチレベルを変更可能な受信装置を提供することを第１の目的とする。
また、本発明は、雑音発生源の近傍に移動されたときでも、スケルチオープンを起こしにくい受信装置を提供することを第２の目的とする。
【課題を解決するための手段】
【０００８】
上記課題を解決するため、本発明の受信装置は、
無線信号を受信して復調する通信手段と、
前記通信手段により復調された信号の再生装置への出力をオン又はオフするスイッチ手段と、
前記無線信号に含まれる雑音成分のレベルを検出する雑音レベル検出手段と、
前記スイッチ手段をオンする閾値であるオンレベルを示すオンデータの群と前記スイッチ手段をオフする閾値であるオフレベルを示すオフデータの群とを含む組であって、前記オンデータの群が示すオンレベルの領域が互いに異なり、かつ、前記オフデータの群が示すオフレベルの領域が互いに異なるように設定されている複数の組を記憶する記憶手段と、
ユーザの操作に応答して指示信号を出力する指示手段と、
前記指示手段からの指示信号に応答して、前記記憶手段に記憶されている複数の組から１つの組を選択する組選択手段と、
前記指示手段からの指示信号に応答して、前記組選択手段により選択された組に含まれるオンデータの群から１つのオンデータを選択し、オフデータの群から１つのオフデータを選択するデータ選択手段と、
前記雑音レベル検出手段により検出された雑音成分のレベルが、前記データ選択手段により選択されたオンデータが示すオンレベル以下のときに前記スイッチ手段をオンして復調された信号を再生装置に供給し、前記データ選択手段により選択されたオフデータが示すオフレベル以上のときに前記スイッチ手段をオフして復調された信号の再生装置への供給を停止する動作制御手段と、を備える、
ことを特徴とする。
【０００９】
また、上記課題を解決するため、本発明の主要機能を実現するためのスケルチレベル設定方法を提供する。
【００１０】
また、上記課題を解決するため、本発明の主要機能をコンピュータに実現させるためのプログラムを提供する。
【発明の効果】
【００１１】
本発明の受信装置によれば、ユーザがスケルチレベルを入力しなくても、現在選択されているスケルチレベルを変更可能である。
また、雑音発生源の近傍に移動されたときでも、スケルチオープンを起こしにくくする。
【発明を実施するための最良の形態】
【００１２】
以下、図１乃至４を参照して、本発明の実施形態を説明する。
本実施形態では、受信装置として携帯無線通信装置１を適用する。本実施形態は、携帯無線通信装置１が雑音発生源の近傍に移動されたときに、ユーザにより、現在選択されているスケルチオープンレベル及びスケルチクローズレベルよりも低いスケルチオープンレベル及びスケルチクローズレベルが選択されて、雑音の影響によるスケルチオープンを起こしにくくする例である。
【００１３】
前提として、携帯無線通信装置１は、それぞれ異なる閾値電圧に対してスケルチ機能が動作する２つのスケルチ動作モードを有する。１つは「高感度スケルチモード」であり、１つは「通常スケルチモード」である。
高感度スケルチモードでは、通常スケルチモードにてスケルチ機能が動作する閾値電圧よりも低い閾値電圧に対してスケルチ機能が動作する。
【００１４】
先ず、携帯無線通信装置１の回路構成について説明する。
携帯無線通信装置１は、図１に示す回路構成のように、制御部１１、記憶部１２、操作部１３、復調器１４、第１ＢＰＦ（Band-Pass Filter）１５、第２ＢＰＦ１６、検波器１７、ＤＣアンプ１８、スイッチ１９、音声スピーカ２０、表示部２１、を備える。
【００１５】
制御部１１は、ＣＰＵ（Central Processing Unit)から構成されており、記憶部１２に格納されるプログラムに従い、携帯無線通信装置１の全体的な動作を制御する。更に、制御部１１は、スケルチ動作モード判別部１１Ａ、スケルチ実行判別部１１Ｂ、スケルチ動作制御部１１Ｃ、を備える。
【００１６】
スケルチ動作モード判別部１１Ａは、後述する操作部１３からの操作に基づき、高感度スケルチモードがオンか否かを判別し、判別結果をスケルチ動作制御部１１Ｃに出力する。
【００１７】
スケルチ実行判別部１１Ｂは、ＤＣアンプ１８から入力される雑音信号電圧値と記憶部１２に記憶されたスケルチレベルとを比較して、ＤＣアンプ１８から入力される雑音信号電圧値がスケルチオープンレベル以下か否か、又は、ＤＣアンプ１８から入力された雑音信号電圧値がスケルチクローズレベル以上か否か、を判別する。
スケルチ実行判別部１１Ｂが、ＤＣアンプ１８から入力された雑音信号電圧値はスケルチクローズレベル以上であると判別したときは、スケルチ動作制御部１１Ｃはスイッチ１９にスイッチオフを指示する。ＤＣアンプ１８から入力された雑音信号電圧値がスケルチオープンレベル以下のときは、スケルチ動作制御部１１Ｃはスイッチ１９にスイッチオンを指示する。
【００１８】
スケルチ動作制御部１１Ｃは、スケルチ動作モード判別部１１Ａにより高感度スケルチモードがオンと判別されたときは、後述する高感度スケルチテーブル１２３に記憶されたスケルチレベルを参照して、スケルチ機能を動作させる。高感度スケルチモードがオフであれば、後述する通常スケルチテーブル１２２に記憶されたスケルチレベルを参照して、スケルチ機能を動作させる。
また、スケルチ動作制御部１１Ｃは、スケルチ実行判別部１１Ｂの判別結果に基づいてスイッチ１９にオン又はオフを指示して、音声スピーカ２０への信号出力のオン又はオフを制御する。
【００１９】
記憶部１２は、フラッシュメモリなどの不揮発性メモリ、ＲＡＭ（Random Access Memory）等から構成され、また、制御部１１のワークメモリとしても機能する。
更に、記憶部１２は、スケルチ動作モード記憶領域１２１、通常スケルチテーブル１２２、高感度スケルチテーブル１２３、閾値レベル記憶領域１２４、プログラム記憶領域１２５、を有する。
【００２０】
スケルチ動作モード記憶領域１２１は、高感度スケルチモードがオン又はオフのいずれに設定されているかを記憶する。なお、操作部１３により携帯無線通信装置１の電源がオフの状態から電源がオンされたときは、電源オフ操作時にスケルチ動作モード記憶領域１２１に記憶されていたスケルチ動作モードが保持されている。
【００２１】
通常スケルチテーブル１２２は、通常スケルチモードにてスケルチ機能が動作するときに、スケルチ動作制御部１１Ｃにより参照される。
ここで、通常スケルチテーブル１２２は、図２（ａ）に示す通常スケルチオープンレベルに対応付けられた閾値電圧をＤ／Ａ値として表した一覧と、図２（ｃ）に示す通常スケルチクローズレベルに対応付けられた閾値電圧をＤ／Ａ値として表した一覧と、を有するものとする。
【００２２】
通常スケルチオープンレベル、通常スケルチクローズレベルは共に、通常スケルチモードにおいてスケルチ機能を動作するときのＤ／Ａ値として表される電圧値の大小の程度を示す所定の閾値であり、不連続段階的で、かつ互いに異なる値を有する１〜１０までの１０段階の閾値レベルに分けられている。
通常スケルチテーブル１２２を参照してスケルチ機能を動作させるときの、ＤＣアンプ１８から出力される雑音信号電圧値と、通常スケルチオープンレベル及び通常スケルチクローズレベルと、の関係については詳細を後述する。
【００２３】
高感度スケルチテーブル１２３は、高感度スケルチモードにてスケルチ機能が動作するときに、スケルチ動作制御部１１Ｃにより参照される。
ここで、高感度スケルチテーブル１２３は、図２（ｂ）に示す高感度スケルチオープンレベルに対応付けられた閾値電圧をＤ／Ａ値として表した一覧と、図２（ｄ）に示す高感度スケルチクローズレベルに対応付けられた閾値電圧をＤ／Ａ値として表した一覧と、を有するものとする。
【００２４】
高感度スケルチオープンレベル、高感度スケルチクローズレベルは共に、高感度スケルチモードにおいてスケルチ機能を動作するときのＤ／Ａ値として表される電圧値の大小の程度を示す所定の基準値であり、不連続段階的で、かつ互いに異なる値を有する１〜１０までの１０段階の閾値レベルに分けられている。なお、通常スケルチモードと高感度スケルチモードとの、同一閾値レベルにおけるスケルチレベルの差異については詳細を後述する。
また、高感度スケルチテーブル１２３を参照してスケルチ機能を動作させるときの、ＤＣアンプ１８から出力される雑音信号電圧値と高感度スケルチオープンレベル及び高感度スケルチクローズレベルとの関係についても詳細を後述する。
【００２５】
閾値レベル記憶領域１２４には、スケルチオープンレベル及びスケルチクローズレベルにおける１〜１０までの閾値レベルの内、現在選択されている閾値レベルが記憶されている。
プログラム記憶領域１２５には、図４のフローチャートを制御部１１に実行させるためのプログラムが記憶されている。
【００２６】
操作部１３は、ユーザが指示やデータを入力するための各種のキー若しくはボタンを備え、制御部１１への各種の指示やデータを入力する。例えば、通常スケルチモードと高感度スケルチモードとの切替、１〜１０までの１０段階の間での閾値レベル選択の変更、携帯無線通信装置１の電源オフ、等をすることが可能である。
【００２７】
復調器１４は、図示しないアンテナを介して受信した無線信号を復調して、出力する。
【００２８】
第１ＢＰＦ（Band-Pass Filter）１５は、無線信号の内の音声信号の周波数に該当する所定の周波数帯域の信号だけを通過させて、出力する。それ以外の周波数の信号は減衰させる。
【００２９】
第２ＢＰＦ（Band-Pass Filter）１６は、無線信号の内の雑音信号の周波数に該当する所定の周波数帯域の信号だけを通過させて、出力する。それ以外の周波数の信号は減衰させる。
検波器１７は、第２ＢＰＦ１６が出力した雑音信号を交流から直流に整流して、出力する。
ＤＣアンプ１８は、検波器１７が出力した雑音信号を音声スピーカ２０が駆動できるレベルまで増幅して、出力する。
【００３０】
スイッチ１９は、スケルチ動作制御部１１Ｃの指示に従って、音声スピーカ２０への無線信号出力のオン及びオフを切り替える。
音声スピーカ２０は、入力された無線信号を音声に変換して、放音する。
【００３１】
表示部２１は、ドットマトリクスタイプのＬＣＤ（液晶表示）パネルとドライバ回路等から構成され任意の画像を表示する。例えば、スケルチ動作モードを選択するときに現在設定されているスケルチ動作モード、閾値レベル（１〜１０）を選択するときに現在選択されている閾値レベル、等を表示する。
【００３２】
次に、通常スケルチテーブル１２２と高感度スケルチテーブル１２３との、同一閾値レベルにおけるスケルチレベルの差異について説明する。
【００３３】
先ず、図２（ａ）、（ｃ）を参照して、通常スケルチテーブル１２２に記憶されているスケルチレベルについて説明する。
通常スケルチモードでは、例えば、閾値レベル４が選択されている場合、スケルチ動作制御部１１Ｃは、図２（ａ）の閾値レベル４の値であるＤ／Ａ値５６で表される電圧値以下のときにスイッチ１９をオンにする。また、図２（ｃ）の閾値レベル４の値であるＤ／Ａ値６６で表される電圧値以上であるときにスイッチ１９をオフにする。
ここで、通常スケルチテーブルに記憶されているスケルチレベルは８ビットのＤ／Ａ値であるので、電源電圧を５Ｖとした場合、スケルチ動作制御部１１Ｃは、５×（５６＋１）／２５６［Ｖ］以下のときにスイッチ１９をオンにして、５×（６６＋１）／２５６［Ｖ］以上のときにスイッチ１９をオフにする。
【００３４】
次に、図２（ｂ）、（ｄ）を参照して、高感度スケルチテーブル１２３に記憶されているスケルチレベルについて説明する。
高感度スケルチモードでは、例えば、閾値レベル４が選択されている場合、スケルチ動作制御部１１Ｃは、図２（ｂ）の閾値レベル４の値であるＤ／Ａ値４５で表される電圧値以下のときにスイッチ１９をオンにする。また、図２（ｄ）の閾値レベル４の値であるＤ／Ａ値５９で表される電圧値以上であるときにスイッチ１９をオフにする。
【００３５】
図２（ａ）と（ｃ）、図２（ｂ）と（ｄ）、をそれぞれ比較すると、通常スケルチテーブル１２２と高感度スケルチテーブル１２３とから同一の閾値レベルが選択されているときには、高感度スケルチオープンレベル及び高感度スケルチクローズレベルは、通常スケルチオープンレベル及び通常スケルチクローズレベルよりも閾値が低く定められている。
例えば、閾値レベルが４であれば、スケルチオープンレベルは、通常スケルチオープンレベルがＤ／Ａ値５６、高感度スケルチオープンレベルがＤ／Ａ値４５である。また、スケルチクローズレベルは、通常スケルチクローズレベルがＤ／Ａ値６６、高感度スケルチクローズレベルがＤ／Ａ値５９である。
【００３６】
ユーザは、操作部１３を操作して、通常スケルチモードと高感度スケルチモードとを切り替えるだけで、現在選択されているスケルチオープンレベル及びスケルチクローズレベルのテーブルから、異なる閾値レベルを有するスケルチオープンレベル及びスケルチクローズレベルのテーブルに変更することが可能である。
これにより、ユーザはスケルチレベルの値を入力しなくても、現在選択されているスケルチレベルを変更可能である。
【００３７】
次に、図３（ａ）、（ｂ）を参照して、通常スケルチモード及び高感度スケルチモードにおける、ＤＣアンプ１８から出力される雑音信号電圧値と、スケルチオープンレベル及びスケルチクローズレベルと、の関係について説明する。
【００３８】
先ず、図３（ａ）を参照して、通常スケルチモードにて通常スケルチテーブル１２２を参照してスケルチ機能を動作させる場合について説明する。
通常スケルチモードでのスケルチ機能は、ＤＣアンプ１８から出力される雑音信号電圧値が通常スケルチオープンレベル以下のときには、音声スピーカ２０への信号出力をオンにする。
一方、ＤＣアンプ１８から出力される雑音信号電圧値が通常スケルチクローズレベル以上のときには、音声スピーカ２０への信号出力をオフにする。
【００３９】
ＤＣアンプ１８から出力される雑音信号電圧値が一旦通常スケルチオープンレベル以下になると、スケルチ動作制御部１１Ｃは、図３（ａ）に示すように、ＤＣアンプ１８から出力される雑音信号電圧値が通常スケルチクローズレベル以上になるまで、音声スピーカ２０への信号出力をオンのまま保持する。
【００４０】
なお、スケルチオープンに対する雑音の影響についても説明する。雑音信号電圧が信号電圧に比べて大きいときは、ＤＣアンプ１８から出力される雑音信号電圧値は高い電圧値が出力され、信号電圧が雑音信号電圧に比べて大きいときは、ＤＣアンプ１８から出力される雑音信号電圧値は低い電圧値が出力される。
ここで、雑音発生源がモニタ等の場合、雑音発生源が発する雑音信号が携帯無線通信装置１のアンテナから受信されると、ＤＣアンプ１８から出力される雑音信号電圧値は通常の雑音信号が大きい場合と逆の動作を行い、雑音信号電圧値が低下する。これにより、スケルチ機能は、あたかも雑音信号が低下し信号強度が強くなったかのように動作してしまう。
そのため、信号電圧値が弱いにも関わらず、ＤＣアンプ１８から出力される雑音信号電圧値が通常スケルチオープンレベル以下となってしまい、スケルチ実行判別部１１Ｂによりスケルチオープンが必要であると判別されスケルチオープンを起こしてしまう。
【００４１】
次に、図３（ｂ）を参照して、高感度スケルチモードにて高感度スケルチテーブル１２３を参照してスケルチ機能を動作させる場合について説明する。
高感度スケルチテーブル１２３に記憶される高感度スケルチオープンレベル、高感度スケルチクローズレベルは共に、通常スケルチテーブル１２２に記憶される通常スケルチオープンレベル、通常スケルチクローズレベルよりも閾値が低く定められている。
これにより、高感度スケルチモードでは、図３（ｂ）に示すグラフのように、同一の雑音信号電圧値に対して、スケルチ実行判別部１１Ｂによりスケルチオープンが不要であると判別されスケルチオープンが起こりにくくなっている。
即ち、モニタ等の雑音発生源の近傍に携帯無線通信装置１が移動されたときには、操作部１３を操作して、通常スケルチモードから高感度スケルチモードへとスケルチ動作モードを切り替えることにより、スケルチオープンの発生を低減できる。
【００４２】
次に、図４のフローチャートを参照して、通常スケルチモードで動作する携帯無線通信装置１が雑音発生源の近傍に移動されたときに、高感度スケルチモードに切り替えられたときの携帯無線通信装置１の動作について説明する。
なお、前提として図４のフローの起動時に、ユーザは通常スケルチモードのまま電源オフされた携帯無線通信装置１の電源をオンし、携帯無線通信装置１を雑音発生源の近傍に移動したときに、操作部１３により高感度スケルチモードに切り替えたものとする。
【００４３】
ユーザが、操作部１３を操作して、携帯無線通信装置１を電源オンすることにより図４のフローの処理が起動されると、先ず、スケルチ動作モード判別部１１Ａは、スケルチ動作モード記憶領域１２１を参照して、高感度スケルチモードがオンか否かを判別する（ステップＡ１）。
【００４４】
高感度スケルチモードがオンであれば（ステップＡ１；Ｙｅｓ）、閾値レベル記憶領域に記憶された閾値レベルを読み出し（ステップＡ２）、スケルチ機能を動作させるときに、高感度スケルチオープンレベルと高感度スケルチクローズレベルとを参照する（ステップＡ３）。
高感度スケルチモードがオンでなければ（ステップＡ１；Ｎｏ）、閾値レベル記憶領域に記憶された閾値レベルを読み出し（ステップＡ４）スケルチ機能を動作させるときに、通常スケルチオープンレベルと通常スケルチクローズレベルとを参照する（ステップＡ５）。
【００４５】
なお、閾値レベルが変更されたときには（ステップＡ６；Ｙｅｓ）、制御部１１はステップＡ１に処理を移し、変更された閾値レベルが参照される（ステップＡ２〜Ａ３、又は、ステップＡ４〜Ａ５）。
また、高感度スケルチモードがオフであっても操作部１３の操作により高感度スケルチモードがオンに変更されると（ステップＡ７；Ｙｅｓ）、スケルチ動作モード判別部１１Ａにより変更が検出される（ステップＡ１；Ｙｅｓ）。
【００４６】
操作部１３により携帯無線通信装置１の電源オフ操作が行われると（ステップＡ８；Ｙｅｓ）、電源オフ操作時のスケルチ動作モードが保持されたまま電源がオフされる。電源オフ操作が行われず（ステップＡ８；Ｎｏ）、ＤＣアンプ１８から雑音信号が入力されなければ（ステップＡ９；Ｎｏ）、制御部１１は処理をステップＡ６に移す。
【００４７】
ＤＣアンプ１８から雑音信号が入力されれば（ステップＡ９；Ｙｅｓ）、スケルチ実行判別部１１Ｂは、雑音信号電圧がスケルチクローズレベル以上か否かを判別する（ステップＡ１０）。
雑音信号電圧がスケルチクローズレベル以上であれば（ステップＡ１０；Ｙｅｓ）、スケルチ動作制御部１１Ｃはスイッチ１９にオフを指示して、音声スピーカ２０への信号出力をオフにする（ステップＡ１１）。制御部１１は、処理をステップＡ６に移す。
【００４８】
雑音信号電圧がスケルチクローズレベル未満なら（ステップＡ１０；Ｎｏ）、スケルチ実行判別部１１Ｂは、雑音信号電圧がスケルチオープンレベル以下か否かを判別する（ステップＡ１２）。
雑音信号電圧がスケルチオープンレベル以下であれば（ステップＡ１２；Ｙｅｓ）、スケルチ動作制御部１１Ｃはスイッチ１９にオンを指示して、音声スピーカ２０への信号出力をオンにする（ステップＡ１３）。制御部１１は、処理をステップＡ６に移す。
雑音信号電圧がスケルチオープンレベルよりも大きければ（ステップＡ１２；Ｎｏ）、制御部１１は処理をステップＡ６に移す。
【００４９】
本発明の実施形態の携帯無線通信装置１によれば、高感度スケルチモードにおいて、通常スケルチモードよりも低い電圧値を閾値として、スケルチオープン又はスケルチクローズするか否かを判別する。
これにより、例えば、通常スケルチモードにてスケルチクローズしている携帯無線通信装置１が移動モニタ等のノイズを発する雑音発生源の近傍に移動されたときでも、操作部１３により高感度スケルチモードに切り替えることでスケルチオープンを起こりにくくして、スケルチクローズ状態を保持することが可能である。
また、本実施形態では通常スケルチモードと高感度スケルチモードの２つのモードとしたが、異なった閾値を有する高感度スケルチモードを複数種類用意することも可能である。
【００５０】
なお、本発明の概念のスケルチレベル設定方法は、携帯無線通信装置に留まらず、無線通信機能を備える、例えば、ＰＨＳ、ＰＤＡ（Personal Digital Assistants）、電子カメラ、電子腕時計、ノート型ＰＣ、携帯型ＴＶ、携帯型映像記録装置・再生装置、カーナビゲーション装置、であっても同様に適用可能である。
また、本発明のプログラムを実装する電子装置の回路構成、プログラムのフローチャートは任意に変更可能である。
【図面の簡単な説明】
【００５１】
【図１】本発明の実施形態の携帯無線通信装置の回路構成を示すブロック図である。
【図２】（ａ）は、通常スケルチモードにおける通常スケルチオープンレベルの一覧を示す図である。（ｂ）は、高感度スケルチモードにおける高感度スケルチオープンレベルの一覧を示す図である。（ｃ）は、通常スケルチモードにおける通常スケルチクローズレベルの一覧を示す図である。（ｄ）は、高感度スケルチモードにおける高感度スケルチクローズレベルの一覧を示す図である。
【図３】（ａ）は、通常スケルチモードにおける、雑音信号電圧と、通常スケルチオープンレベル及び通常スケルチクローズレベルとの関係を示す図である。（ｂ）は、高感度スケルチモードにおける、雑音信号電圧と、高感度スケルチオープンレベル及び高感度スケルチクローズレベルとの関係を示す図である。
【図４】スケルチ動作モードが変更されたときに、変更されたスケルチ動作モードに従ってスケルチ機能を動作させるときのフローチャートである。
【符号の説明】
【００５２】
１・・・携帯無線通信装置、１１・・・制御部、１１Ａ・・・スケルチ動作モード判別部、１１Ｂ・・・スケルチ実行判別部、１１Ｃ・・・スケルチ動作制御部、１２・・・記憶部、１２１・・・スケルチ動作モード記憶領域、１２２・・・通常スケルチテーブル、１２３・・・高感度スケルチテーブル、１２４・・・閾値レベル記憶領域、１２５・・・プログラム記憶領域、１３・・・操作部、１４・・・復調器、１５・・・第１ＢＰＦ、１６・・・第２ＢＰＦ、１７・・・検波器、１８・・・ＤＣアンプ、１９・・・スイッチ、２０・・・音声スピーカ、２１・・・表示部
【図１】
2008113351.tif 000003
【図２】
2008113351.tif 000004
【図３】
2008113351.tif 000005
【図４】
2008113351.tif 000006